(57)【要約】【課題】部品点数の少ない簡単な構造を有し、壁掛等の装飾品としての機能と、メモ用紙、写真、印刷物、はがき等のシート状の掲示物を掲示する機能とを兼ね備えた、装飾パネルを提供する。【解決手段】装飾パネル１０は、開口部３４，３６等を有するマグネット吸着プレート１４と、その背面側に配置され、開口部３４，３６を介してマグネット吸着プレート１４の正面側に露出されるピン留めボード４４を含む。マグネット吸着プレート１４の正面側には、開口部３４，３６と、非開口部４２と、ピン留めボード４４の露出部ＥＡとにより、錯視図形等の知覚対象物を形成することで装飾表示部１０Ａが構成されるとともに、シート状の掲示物１００は、マグネット１０２および／またはピン１０４で留め付け可能となり、且つ、開口端３５，３７に差し込んで留め付け可能となる。【選択図】図７
2010184407.tif 000002
【特許請求の範囲】
【請求項１】
開口部を有するマグネット吸着プレート、および
前記マグネット吸着プレートの背面側に配置され、前記開口部を介して前記マグネット吸着プレートの正面側に露出する露出部を備えたピン留めボードを含み、
前記マグネット吸着プレートの正面側には、マグネットにより、写真、メモ用紙、日程表等の印刷物、文書、はがき等のシート状の掲示物が、前記開口部を除いた非開口部の部位で留め付け可能となり、
前記マグネット吸着プレートの正面側には、ピンにより、前記掲示物が前記露出部の部位で留め付け可能となり、
前記マグネット吸着プレートの正面側には、前記開口部の開口端から、前記マグネット吸着プレートの背面と前記ピン留めボードの正面との間に、前記掲示物が部分的に挿入されることにより、前記掲示物が留め付け可能となり、且つ、
前記マグネット吸着プレートの正面側には、前記開口部と、前記非開口部と、前記露出部とにより、図形、模様、絵、記号、文字等の知覚対象物を形成することで、装飾表示部が構成されることを特徴とする、装飾パネル。
【請求項２】
前記装飾表示部を構成する前記知覚対象物は、錯視図形を含むことを特徴とする、請求項１に記載の装飾パネル。
【発明の詳細な説明】
【技術分野】
【０００１】
この発明は、装飾パネルに関し、特にたとえば、壁掛に用いられて好適な装飾品となり、その上、ピンナップ写真、メモ用紙、日程表、はがき、その他種々のシート状の掲示物を掲示する掲示板としての機能も兼ね備えた、装飾パネルに関する。
【背景技術】
【０００２】
この発明の背景となる従来の壁掛式装飾具には、一般的な額縁入りの絵画とも、観賞魚を飼育する水槽とも異なり、室内の壁や間仕切り等に掛けて観賞魚を観賞することができる壁掛式装飾具があった（例えば、特許文献１参照）。
また、この発明の背景となる従来の装飾パネルには、一枚物の板体でありながら、網代状あるいは格子状に組み上げているように見える金属製の装飾パネルがあった（例えば、特許文献２参照）。この従来の装飾パネルでは、板状パネルに複数の貫通孔を整列させて形成することにより、複数の第１帯体と第２帯体とからなるメッシュ状パネルを形成し、同メッシュ状パネルの第１帯体と第２帯体との交差部を押圧成形することにより折曲壁を形成して、一方の帯体を他方の帯体に対して突出させることで、網代状あるいは格子状のパターンに見えるようにしている。
さらに、この発明の背景となる従来の虚像現出装飾体には、同一形状・同一大きさの平凸レンズ状集光素を多数縦横に整列させて形成してなる平凸レンズ状集光素層と、平凸レンズ状集光素層の下に積層された透明基板層と、透明基板層の下に積層された同一形状の画素を多数縦横に整列させて形成してなる画素層とを含み、目の錯覚を利用して虚像を平凸レンズ状集光素層の上方又は下方に現出させる虚像現出装飾体があった（例えば、特許文献３参照）。
また、この発明の背景となる従来の装飾パネルには、接着層で覆われたアルミ基板の表面に、着色した銅又は銅合金からなる無数の切粉を付着し、無数の切粉の上には透明なコーティング膜を被せている装飾パネルがあった（例えば、特許文献４参照）。この従来の装飾パネルは、アルミ基板に銅又は銅合金の切粉を付着してあるので、表面が切粉によって微妙に凸凹した鋳肌感覚となり、しかも、透明なコーティング膜を通して切粉自体が見えるので、切粉の材料である銅又は銅合金の重厚で豪華な感じが伝わるものとなっている。
さらに、この発明の背景となる従来の装飾パネルには、回路基板に実装した複数のＬＥＤ素子を有するＬＥＤユニットを備え、当該ＬＥＤユニットの光を透明ブロックに照射することによって装飾効果を奏する装飾パネルがあった（例えば、特許文献５参照）。
また、この発明の背景となる従来の装飾パネルには、図柄や文字などの画像を透明板に設け、平面的な原画を立体感の有る画像として透明板に浮き上がらせるようにした装飾パネルがあった（例えば、特許文献６参照）。この従来の装飾パネルでは、原画を複数の画像に分解し、その分解画像を、透明板を挟んで重ねることにより、透明板に原画と同様でかつ立体感のある画像を現出させるように構成されている。
さらに、この発明の背景となる従来の装飾パネルには、透明板にサンドブラストで文字や絵等の模様を形成したパネル本体が、額縁に収納されるか、あるいは、ケースに収納されるかした、装飾パネルがあった。
【０００３】
一方、この発明の背景となる従来の掲示板には、その表面側にコルクボード等をクロスで覆った押ピンを突き刺すことができるピンナップボードを設け、その裏面側に強磁性体で形成されマグネットが吸着可能なマグネット吸着ボードを設けた本体パネルの両側端に、ハンギングパネルの係止溝若しくは支柱の係止孔に係脱自在なフックを表裏方向へ１８０度回転可能に設けてなることを特徴とするハンギング掲示板があった（例えば、特許文献７参照）。
また、この発明の背景となる従来の掲示板には、メモやスケジュールを手書きで書き込み及び消去できる書き込み部と、紙をピンなどで張り付けできる張り付け部と、書類や封筒などの紙の上端を保持して吊り下げることができる吊り下げ部とが、互いに一体に構成された掲示板があった（例えば、特許文献８参照）。
【先行技術文献】
【特許文献】
【０００４】
【特許文献１】特開平８−２７５６９３号公報
【特許文献２】特開２００１−１３２２７８号公報
【特許文献３】特開２００２−１２０５００号公報
【特許文献４】特開２００４−８２４６５号公報
【特許文献５】特開２００６−１４２６９２号公報
【特許文献６】特開２００８−２９６５２１号公報
【特許文献７】実用新案登録第２５２２７６１号公報
【特許文献８】登録実用新案第３０４３１３３号公報
【発明の概要】
【発明が解決しようとする課題】
【０００５】
しかしながら、特許文献１に示す従来の壁掛式装飾具では、その内部に金魚、熱帯魚、貝等の水生動物や水草等の水中植物を収容する水槽および水中生物の棲息を助ける濾過装置，加温ヒータ，照明用ライト等の機器が必要となり、当該機器の取り付けにも手間の掛かるものであった。
また、特許文献２に示す従来の装飾パネルでは、各第１帯体ごと、または、各第２帯体ごとに交差部の押圧成形を行うための製造設備に、特殊な金型を用いた専用の部分成形プレス機が必要となり、しかも、当該部分成形プレス機を用いた押圧成形には高度の専門技術を要するものであった。
さらに、特許文献３に示す従来の虚像現出装飾体では、透明基板の表面に平凸レンズ状集光素層を形成するために、専用の透明インクおよびそれを印刷する専用の高価な印刷機が必要となり、それが印刷コストに反映され、しかも、自動現像機にて透明基板の裏面に画素層を形成するには、パーソナルコンピュータを用いた複雑な演算処理を含む画像処理が必要となるため、当該虚像現出装飾体を低コストで生産することは困難なものであった。
また、特許文献４に示す従来の装飾パネルでは、着色液に浸漬したり、高温加熱後に急冷したりする化学的処理によって、銅又は銅合金の表面に化合物の被膜を作る着色処理が必要となり、当該着色処理は手間の掛かる上、材料コストが高く付き材料の取扱いにも注意を払わねばならないものであった。
さらに、特許文献５に示す従来の装飾パネルでは、ＬＥＤユニットおよびＬＥＤユニットにケーブルを介して接続される電源装置等が必要で、部品点数が多くなり、しかも、回路基板には、ＬＥＤ素子を実装した際に、ＬＥＤ素子における反射鏡に対応する部分が回路基板に干渉するのを回避させるための孔を設ける必要があるため、製造上のコストも高く付くものであった。
また、特許文献６に示す従来の装飾パネルでは、分解画像が、原画のデータを電子データとして取り込んで、当該原画を複数の画像に分解処理する、所謂、画像処理が必要となり、その上、分解画像は、分解処理と併せて網点処理したデータとされ、得られた分解画像のデータをＯＨＰ（オーバーヘッドプロジェクター）フィルムもしくはリスフィルムに出力してそれぞれの版を作成し、この版を使用してマスキングフィルムが作成されるなど、手間の掛かる製造工程を要するものであった。
さらに、透明板にサンドブラストで文字や絵等の模様を形成した従来の装飾パネルでは、透明板にサンドブラストにより模様を形成する作業に手数がかかり、コスト高になるという欠点があった。また、この従来の装飾パネルでは、パネル本体を額縁に収納するか、あるいは、ケースに収納するため、額縁やケースによってさらにコスト高になるものであった。
【０００６】
一方、特許文献７に示す従来のハンギング掲示板では、本体パネル自体には何ら装飾性を有するものではなく、当該ハンギング掲示板を壁掛として用いるには不向きなものとなっている。さらに、この従来のハンギング掲示板では、押ピンを突き刺すことができるピンナップボードあるいはマグネットが吸着可能なマグネット吸着ボードを選択的に前面に配向させて使用することができるものの、１つの掲示ボードでピンナップボードおよびマグネット吸着ボードを兼用させることはできないものであった。つまり、ピンナップボードにはマグネットを使用することができず、マグネット吸着ボードには押しピンを使用することができないものとなっている。
また、特許文献８に示す従来の掲示板においても、枠体自体、あるいは、ホワイトボード部，張り付け部等の掲示部自体には、何らの装飾も施されておらず、当該掲示板を壁掛等の装飾品として用いるには好適なものとはなっていない。
【０００７】
それゆえに、この発明の主たる目的は、部品点数の少ない簡単な構造を有し、壁掛等の装飾品となる装飾機能と、メモ用紙、写真、印刷物、はがき等の種々のシート状の掲示物を掲示する掲示機能とを兼ね備えた、装飾パネルを提供することである。
【課題を解決するための手段】
【０００８】
請求項１にかかる発明は、開口部を有するマグネット吸着プレートと、マグネット吸着プレートの背面側に配置され、開口部を介してマグネット吸着プレートの正面側に露出する露出部を備えたピン留めボードとを含み、マグネット吸着プレートの正面側には、マグネットにより、写真、メモ用紙、日程表等の印刷物、文書、はがき等のシート状の掲示物が、開口部を除いた非開口部の部位で留め付け可能となり、マグネット吸着プレートの正面側には、ピンにより、掲示物が露出部の部位で留め付け可能となり、マグネット吸着プレートの正面側には、開口部の開口端から、マグネット吸着プレートの背面とピン留めボードの正面との間に、掲示物が部分的に挿入されることにより、掲示物が留め付け可能となり、且つ、マグネット吸着プレートの正面側には、開口部と、非開口部と、露出部とにより、図形、模様、絵、記号、文字等の知覚対象物を形成することで、装飾表示部が構成されることを特徴とする、装飾パネルである。
請求項１にかかる発明では、マグネット吸着プレートの正面側において、写真、メモ用紙、日程表等の印刷物、文書、はがき等のシート状の掲示物が、マグネットで当該マグネット吸着プレートの非開口部の部位に吸着されることによって、留め付けることが可能となっている。また、掲示物は、押しピン等のピンでピン留めボードの露出部に突き刺されることによって、マグネット吸着プレートの正面側に留め付けることが可能となっている。さらに、掲示物は、マグネット吸着プレートの開口部の開口端から、マグネット吸着プレートの背面とピン留めボードの正面との間に、当該掲示物が部分的に挿入されることによって、マグネット吸着プレートの正面側に留め付けることが可能となっている。
しかも、請求項１にかかる発明では、マグネット吸着プレートの開口部、非開口部およびピン留めボードの露出部により、図形、模様、絵、記号、文字等の知覚対象物が形成されているため、マグネット吸着プレートの正面側に、適宜、所定の装飾表示部を構成することが可能なものとなっている。そのため、マグネット吸着プレートの正面側に掲示物を留め付けない場合には、装飾表示部により当該マグネット吸着プレートの正面側に装飾効果が十分に発揮される。この場合、請求項１にかかる本願発明の装飾パネルは、特に、たとえば壁掛に用いられて好適な装飾品となる。
請求項２にかかる発明は、請求項１にかかる発明に従属する発明であって、装飾表示部を構成する知覚対象物は、錯視図形を含むことを特徴とする、装飾パネルである。
請求項２にかかる発明では、知覚対象物が錯視図形を含むため、当該装飾パネルのマグネット吸着プレートの正面側に錯視の現象がよく現れた装飾表示部を構成することが可能となっている。この場合、請求項２にかかる発明の装飾パネルは、たとえば壁掛に用いられてより一層好適な装飾品となり、特に、当該壁掛は、人間の視覚の面白さを味わえるユニークな装飾品となっている。
【発明の効果】
【０００９】
この発明によれば、部品点数の少ない簡単な構造を以って、壁掛等の装飾品としての機能と、メモ用紙、写真、印刷物、はがき等の種々のシート状の掲示物を掲示する掲示機能とを兼ね備えた、装飾パネルが得られる。
【００１０】
この発明の上述の目的、その他の目的、特徴および利点は、図面を参照して行う以下の発明を実施するための形態の説明から一層明らかとなろう。
【図面の簡単な説明】
【００１１】
【図１】この発明にかかる装飾パネルの実施形態の一例を示す斜視図である。
【図２】図１に示す装飾パネルの背面図である。
【図３】図３の（Ａ）は、図１，図２に示す装飾パネルの積層構造の一例を示す要部縦断面図であり、図３の（Ｂ）は、当該装飾パネルにシート状の掲示物を留め付けた状態の一例を示す要部拡大断面図である。
【図４】図１，図２および図３に示す装飾パネルのパネル本体の分解斜視図である。
【図５】図５の（Ａ）は、図４に示すパネル本体の側壁，側壁背面片および底壁，底壁背面片を示す部分拡大図であり、図５の（Ｂ）は、その展開図である。
【図６】図４に示すパネル本体の天壁および天壁背面片を示す部分拡大図である。
【図７】図１，図２および図３に示す装飾パネルの使用状態の一例を示す正面図である。
【図８】この発明にかかる装飾パネルの他の実施形態の例を示す正面図である。
【発明を実施するための形態】
【００１２】
図１は、この発明にかかる装飾パネルの実施形態の一例を示す斜視図であり、図２は、図１に示す装飾パネルの背面図である。図３の（Ａ）は、図１，図２に示す装飾パネルの積層構造の一例を示す要部縦断面図であり、図３の（Ｂ）は、当該装飾パネルにシート状の掲示物を留め付けた状態の一例を示す要部拡大断面図である。また、図４は、図１，図２および図３に示す装飾パネルのパネル本体の分解斜視図であり、図５の（Ａ）は、図４に示すパネル本体の部分拡大図であり、図５の（Ｂ）は、その展開図であり、図６は、図４に示すパネル本体の他の部分拡大図である。
【００１３】
本実施形態例にかかる装飾パネル１０は、図４に示すように、たとえば枠状のパネル本体１２を含む。パネル本体１２は、たとえば矩形状のマグネット吸着プレート１４を含む。以下の説明では、マグネット吸着プレート１４の一方主面を「正面」と言い、マグネット吸着プレート１４の他方主面を「背面」と言う。
このマグネット吸着プレート１４の４つの辺の内、対向する左右の両側辺には、その端部からマグネット吸着プレート１４の背面側に略直角に突出する側壁１６が設けられ、同様に、マグネット吸着プレート１４の底辺には、その端部から背面側に略直角に突出する底壁１８が設けられている。さらに、左右の側壁１６の先端部には、それぞれ、マグネット吸着プレート１４の内方側に略直角に突出する側壁背面片２０が連接されている。また、底壁１８の先端部には、マグネット吸着プレート１４の内方側に略直角に突出する底壁背面片２２が設けられている。
【００１４】
左右の側壁１６，側壁背面片２０は、図５の（Ｂ）に示すように、マグネット吸着プレート１４の対向する左右の両側辺の外側に、折り曲げ線１６ａ，２０ａで、マグネット吸着プレート１４の背面側に折り曲げられる側壁フラップ１６Ａ，側壁背面片フラップ２０Ａによって形成される。側壁フラップ１６Ａが折り曲げられて側壁１６が形成され、さらに、側壁背面片フラップ２０Ａが折り曲げられて側壁背面片２０が形成される。
【００１５】
同様に、底壁１８，底壁背面片２２は、図５の（Ｂ）に示すように、マグネット吸着プレート１４の底辺の外側に、折り曲げ線１８ａ，２２ａで、マグネット吸着プレート１４の背面側に折り曲げられる底壁フラップ１８Ａ，底壁背面片フラップ２２Ａによって形成される。底壁フラップ１８Ａが折り曲げられて底壁１８が形成され、底壁背面片フラップ２２Ａが折り曲げられて底壁背面片２２が形成される。この場合、側壁背面片２０と底壁背面片２２とが重ならないようにするため、底壁背面片フラップ２２Ａは、切欠き部２４を有するものとなっている。
上記したマグネット吸着プレート１４と、左右の側壁１６，側壁背面片２０と、底壁１８，底壁背面片２２とによって、枠状のパネル本体１２が構成される。
【００１６】
一方、パネル本体１２の上端側には、図４，図６に示すように、天面カバー２６が配置される。
すなわち、天面カバー２６は、たとえば矩形帯状の天壁２８を含む。天壁２８の長手方向の長さは、パネル本体１２の左右の側壁１６間の長さと略同じに形成されている。天壁２８の幅方向の一端部には、その長手方向の一端側から他端側にかけて所定の長さでもって天壁背面片３０が形成される。天壁背面片３０は、天壁２８の幅方向の一端部から底壁１８側に向いて略直角に突出して形成される。天壁２８および天壁背面片３０は、たとえば平面視略Ｔ字形に切断された平面プレート（図示せず）を折り曲げることにより一体的に形成される。
【００１７】
パネル本体１２を形成する各部材（マグネット吸着プレート１４，左右の側壁１６，側壁背面片２０，底壁１８，底壁背面片２２）、および、天面カバー２６を形成する各部材（天壁２８，天壁背面片３０）は、それぞれ、鉄板，鋼板，亜鉛メッキ板，ブリキ板等の強磁性材で形成されている。なお、本実施形態例では、強磁性材の一例として、たとえばＳＰＣＣ（冷間圧延軟鋼板）が用いられている。また、パネル本体１２には、その全体、あるいは、少なくとも、マグネット吸着プレート１４の正面全面に、たとえば白色の塗料が塗布されることにより白色の着色が施されている。
【００１８】
パネル本体１２では、特に、図４に示すように、マグネット吸着プレート１４，左右の側壁１６，側壁背面片２０，底壁１８，底壁背面片２２で囲繞された内側に、後述するピン留めボード４４を収納する収納部３２が構成される。この収納部３２に後述するピン留めボード４４が収納された場合、たとえば図３の（Ａ）および図６に示すように、天面カバー２６の天壁２８によって、ピン留めボード４４の上端面が保護されるものとなる。
【００１９】
さて、マグネット吸着プレート１４は、たとえば図１（ドット模様が施された部分），および図４に示すように、マグネット吸着プレート１４の上半分に、たとえば４つの開口部３４を有し、マグネット吸着プレート１４の下半分に、たとえば４つの開口部３６を有する。この場合、一方の４つの開口部３４および他方の４つの開口部３６は、それぞれ、マグネット吸着プレート１４の正面側から背面側に貫通され、且つ、所定の形状を有する貫通部によって設けられている。
【００２０】
すなわち、一方の４つの開口部３４は、それぞれ、上に凸となる４つの逆Ｕ字状形の輪郭を有する貫通部３４ａと、下に凸となる３つのＵ字状形の輪郭を有する貫通部３４ｂとを有する。４つの貫通部３４ａおよび３つの貫通部３４ｂは、交互に横並びに連接された態様となっている。同様に、他方の４つの開口部３６も、それぞれ、上に凸となる４つの逆Ｕ字状形の輪郭を有する貫通部３６ａと、下に凸となる３つのＵ字状形の輪郭を有する貫通部３６ｂとを有する。４つの貫通部３６ａおよび３つの貫通部３６ｂは、交互に横並びに連接された態様となっている。
【００２１】
この場合、一方の４つの開口部３４における、貫通部３４ａの凸端と貫通部３４ｂの凸端との間の垂直方向（上下方向）の高さは、他方の４つの開口部３６における、貫通部３６ａの凸端と貫通部３６ｂの凸端との間の垂直方向（上下方向）の高さよりも高く形成されている。さらに、他方の４つの開口部３６においては、それぞれ、上に凸となる４つの貫通部３６ａの凸端を結ぶ水平線と、下に凸となる３つの貫通部３６ｂの凹側両端頂部（すなわち、上に凹となる貫通部３６ｂの両端頂部）を結ぶ水平線とは、同一直線上に位置するものとなっている。
【００２２】
また、一方の４つの開口部３４において、複数の貫通部３４ａおよび３４ｂ間の境界に垂直方向（上下方向）に延びる境界線を引き、同様に、他方の４つの開口部３６において、複数の貫通部３６ａおよび３６ｂ間の境界に垂直方向（上下方向）に延びる境界線を引いたとすれば、一方の貫通部３４ａ，３４ｂ間の境界線と他方の貫通部３６ａ，３６ｂ間の境界線とは、同一の垂直線上に位置するものとなっている。
【００２３】
また、マグネット吸着プレート１４の正面の上半分には、図４に示すように、上記した一方の貫通部３４ａ，３４ｂ間の垂直方向の６つの境界線上において、４つの開口部３４の間に、それぞれ、３つのスリット開口３８が配設されている。さらに、上記した一方の貫通部３４ａ，３４ｂ間の垂直方向の６つの境界線と、他方の貫通部３６ａ，３６ｂ間の垂直方向の６つの境界線とを結ぶ線上には、一方の４つの開口部３４の内、最下段の開口部３４と、他方の４つの開口部３６の内、最上段の開口部３６との間に、それぞれ、１つのスリット開口４０が配設されている。
【００２４】
このマグネット吸着プレート１４は、上記した開口部３４，３６およびスリット開口３８，４０が設けられた部位と、当該開口部３４，３６およびスリット開口３８，４０を除いた部位（以下、「非開口部」と言う。）を有するものとなっている。
また、上記した開口部３４を構成する貫通部３４ａ，３４ｂ、開口部３６を構成する貫通部３６ａ，３６ｂおよびスリット開口３８，４０は、レーザー加工機等の適宜な切断加工手段によってマグネット吸着プレート１４に配設される。なお、本実施形態例では、たとえば三次元レーザー加工機によって、開口部３４，３６およびスリット開口３８，４０が所定形状に加工されている。
【００２５】
本実施形態例にかかる装飾パネル１０は、たとえば図３の（Ａ），（Ｂ）に示すように、マグネット吸着プレート１４の背面側に配置され、開口部３４，３６を介してマグネット吸着プレート１４の正面側に露出するピン留めボード４４をさらに含む。
すなわち、ピン留めボード４４は、図１，図２，図３の（Ａ）等に示すように、たとえば縦長矩形状のボード本体４６を含む。ボード本体４６は、押しピン等のピンを突き刺して留めることが可能なベニヤ，合板等の木質材および段ボール等の紙質材などで形成される。さらに、このボード本体４６の正面の全面には、たとえば矩形シート状のカバー部材４８が配設される。カバー部材４８は、フェルト等種々の繊維質材を縮充しフェルト化したもの，不織布等を布状にしたもので形成されている。カバー部材４８は、接着剤，両面テープ等の固着手段により、ボード本体４６の正面の全面に貼り付けられる。
なお、本実施形態例では、ボード本体４６がたとえば積層合板で形成され、カバー部材４８がフェルトで形成され、カバー部材４８には、染料等でたとえば黒色の着色が施されている。
【００２６】
カバー部材４８が貼り付けられたピン留めボード４４は、図４に示すパネル本体１２の収納部３２に収納される。そして、収納部３２の天面部には、ピン留めボード４４の上端面を覆うようにして、天面カバー２６が被装された後、たとえば図３に示す連結手段５０により取外し可能に連結・固定される。
本実施形態例では、連結手段５０が、天面カバー２６の天壁背面片３０に設けられたたとえば３つの連結孔５２ａと、パネル本体１２の左右の側壁背面片２０にそれぞれ１つずつ設けられた連結孔５２ｂとを含む。３つの連結孔５２ａは、図４に示すように、天壁背面片３０の長手方向に所定の間隔を隔てて設けられ、当該天壁背面片３０の長手方向の両側にある２つの連結孔５２ａと対応するように、２つの連結孔５２ｂが側壁背面片２０の所定の部位に設けられる。
また、連結手段５０は、ビス等の締付け具５４を含み、締付け具５４を上記した連結孔５２ａ，５２ｂに挿通しボード本体４６にねじ込むことにより、カバー部材４８が貼り付けられたピン留めボード４４は、図２および図３の（Ａ）に示すように、パネル本体１２に装着される。
【００２７】
この場合、上記したピン留めボード４４をマグネット吸着プレート１４の背面側に配設することによって、図１および図３に示すように、当該ピン留めボード４４は、開口部３４，３６を介して、マグネット吸着プレート１４の正面側に露出し、且つ、外部から視認することが可能な露出部ＥＡ（Exposed Area）を具備するものとなっている。
【００２８】
また、本実施形態例にかかる装飾パネル１０には、当該装飾パネル１０を室内の壁，間仕切り等に掛けるための掛止手段５６が配設されている。掛止手段５６は、たとえば図２に示すように、ピン留めボード４４の背面の上半分でその幅方向の両側に配設される。掛止手段５６は、たとえば環状の掛止部材５８を含み、掛止部材５８は留め部材６０によって、パネル本体１２の背面側にあるピン留めボード４４の背面に取り付けられる。この場合、左右両側の掛止部材５８の間には、吊り下げ手段としてのたとえば吊り下げ紐６２が挿通され、繋着されている。一方、装飾パネル１０が掛けられる壁面には、吊り下げ紐６２を引っ掛けて吊り下げるための掛け金具（図示せず）が配設されている。そして、吊り下げ紐６２によって、装飾パネル１０が壁面に適宜吊り下げられる。
【００２９】
上述した本実施形態例にかかる装飾パネル１０では、図７に示すように、マグネット吸着プレート１４の正面側において、写真、メモ用紙、日程表等の印刷物、文書、はがき等のシート状の掲示物１００が、マグネット１０２で当該マグネット吸着プレート１４の非開口部４２の部位に吸着されることによって、留め付けることができる。
【００３０】
また、掲示物１００は、押しピン等のピン１０４により、当該掲示物１００をピン留めボード４４の露出部ＥＡの部位でマグネット吸着プレート１４の正面側に留め付けることができる。この場合、当該掲示物１００は、ピン１０４により、露出部ＥＡを介してピン留めボード４４に突き刺されて掲示されるものとなっている。なお、この装飾パネル１０では、シート状の掲示物１００をピン１０４で繰返し留め付けた場合でも、カバー部材４８が繊維材を縮充しフェルト化した布地で形成されているため、ピン１０４の刺し跡がボード本体４６に極力残らないようにすることができる。
【００３１】
さらに、掲示物１００は、特に、図３の（Ａ），（Ｂ）および図７に示すように、マグネット吸着プレート１４の開口部３４，３６の開口端３５，３７から、マグネット吸着プレート１４の背面側とピン留めボード４４の正面側との間に、当該掲示物１００が部分的に挿入されることによって、マグネット吸着プレート１４の正面側に留め付けることができる。この装飾パネル１０を用いれば、当該掲示物１００に適した複数の開口部３４，３６の内から選択し、選択された開口部３４，３６に提示物１００の端部を挿入させることによって、当該掲示物１００を掲示することができる。そのため、たとえば掲示物１００が写真の場合、従来のように当該写真に合った写真フレームや額縁を用意する必要が無く、しかも、当該写真の脱着や取り替えが極めて簡便にできるものとなっている。
【００３２】
すなわち、本実施形態例にかかる装飾パネル１０では、上記した種々のシート状の掲示物１００を、マグネット１０２，ピン１０４等の留め具により留め付けて掲示する機能と、掲示物１００をマグネット吸着プレート１４の開口部３４，３６の開口端３５，３７から差し込んで、マグネット吸着プレート１４の背面側およびピン留めボード４４のカバー部材４８の正面側間に挟持・支持して掲示する機能とを併せ持つものとなっている。
【００３３】
さらに、本実施形態例にかかる装飾パネル１０では、図形、模様、絵、記号、文字等の知覚対象物を形成することで、装飾表示部１０Ａが構成されるものとなっている。すなわち、本実施形態例にかかる装飾パネル１０では、たとえば図１に示すように、マグネット吸着プレート１４の開口部３４，３６、非開口部４２およびピン留めボード４４の露出部ＥＡの協働作用によって、図形、模様、絵、記号、文字等の知覚対象物が形成されているので、マグネット吸着プレート１４の正面側に、適宜、所定の装飾表示部１０Ａを構成することができる。
したがって、マグネット吸着プレート１４の正面側に掲示物１００を留め付けない場合には、上記した装飾表示部１０Ａにより当該マグネット吸着プレート１４の正面側に装飾効果が十分に発揮されるため、当該装飾パネル１０は、たとえば壁掛に用いられて好適な装飾品となっている。
【００３４】
この場合、本実施形態例にかかる装飾パネル１０では、上記した装飾表示部１０Ａを構成する知覚対象物が錯視図形を含むものとなっている。
すなわち、この装飾パネル１０では、図１，図７に示すように、マグネット吸着プレート１４の開口部３４，３６，スリット開口３８，４０、白色の非開口部４２およびピン留めボード４４の黒色の露出部ＥＡによって、錯視図形として、たとえばカフェウォール凹凸反転図形が形成されている。そのため、装飾パネル１０を正面から視認したとき、マグネット吸着プレート１４の上半分の複数の貫通部３４ａ，３４ｂ間の垂直方向の６つの境界線と、下半分の複数の貫通部３６ａ，３６ｂ間の垂直方向の６つの境界線とを結ぶ垂直線は、図１，図７に示すように、湾曲して見える。この場合、上半分の６つの垂直線は、左から右・左・右・左・右・左に傾いて見え、下半分はそれとは逆に傾いて見え、見る者の意識に錯覚を惹起せしめている。
したがって、当該装飾パネルがたとえば壁掛に用いられた場合には、視認者に視覚上の錯覚を惹起せしめる面白さがあり、より一層好適な装飾品となり、当該壁掛は、人間の視覚の面白さを味わえるユニークな装飾品となる。
【００３５】
図８は、この発明にかかる装飾パネルの他の実施形態の例を示す正面図である。図８に示す実施形態例は、図１〜図７に示す上述の実施形態例と比べて、特に、装飾表示部を構成する知覚対象物の錯視図形が相違するものとなっている。
図１〜図７に示す実施形態例にかかる装飾パネル１０では、マグネット吸着プレート１４の開口部３４，３６，スリット開口３８，４０、白色の非開口部４２およびピン留めボード４４の黒色の露出部ＥＡによって、当該装飾パネル１０の正面側に「カフェウォール凹凸反転図形」で装飾表示部１０Ａを構成しているが、図８に示す実施形態例にかかる装飾パネル７０では、特に、錯視図形として、たとえば「ミュンスターベルク錯視」と呼ばれるもので装飾表示部７０Ａを構成している点で相違している。
【００３６】
すなわち、図８に示す装飾パネル７０では、パネル本体１２の正面側に、白色と黒色の複数の正方形が交互に縦並びに配列され、且つ、左右の正方形を略半個分ずつ垂直方向にずらして配列され、さらに、左右の正方形の境界には、黒色の擬似境界線７０ａがパネル本体１２の垂直方向に延びるようにして、装飾表示部７０Ａが構成されている。図８に示す実施形態例では、たとえば８つの黒色の擬似境界線７０ａが、パネル本体７２の水平方向に所定の間隔を隔てて配置されている。
【００３７】
この場合、パネル本体１２のマグネット吸着プレート１４は、当該マグネット吸着プレート１４の垂直方向（上下方向）に所定の間隔を隔てて、たとえば６つの開口部７２が配設されている。６つの開口部７２は、それぞれ、たとえば９つの正方形が交互に横並びに、且つ、左右の正方形が略半個分ずつ垂直方向にずらした状態で連接された１つの図形として設けられている。また、複数の黒色の擬似境界線７０ａは、複数のスリット開口７４によって設けられている。６つの開口部７２および複数のスリット開口７４は、それぞれ、上述した実施形態例と同様に、レーザー加工機等の適宜な切断加工手段で、マグネット吸着プレート１４の正面から背面に貫通する貫通部７２ａが形成されることにより構成されている。
【００３８】
つまり、図８に示す装飾パネル７０では、６つの開口部７２、複数のスリット開口７４、白色の非開口部４２およびピン留めボード４４の黒色の露出部ＥＡの協働作用によって、パネル本体１２の正面側に、上記した装飾表示部７０Ａが構成されるものとなっている。当該装飾パネル７０では、黒色の擬似境界線７０ａが傾いて見えるものとなっている。
【００３９】
なお、上述した各実施形態例では、パネル本体１２のマグネット吸着プレート１４がＳＰＣＣ（冷間圧延軟鋼板）等の強磁性材で形成されたが、当該マグネット吸着プレート１４としては、金属の粉末を混入させた樹脂やゴムなど、マグネット１０２が吸着する材料であればいかなる材料でもよい。
また、上述した各実施形態例では、装飾表示部１０Ａ，７０Ａを構成する知覚対象物が錯視図形により形成されたが、当該装飾表示部１０Ａ，７０Ａを構成する知覚対象物は、錯視図形に限定されるものではなく、たとえば花、動物，植物，風景，その他種々の記号，図形，模様等で形成するようにしてもよい。
【符号の説明】
【００４０】
１０，７０  装飾パネル
１０Ａ，７０Ａ  装飾表示部
１２  パネル本体
１４  マグネット吸着プレート
１６  側壁
１６Ａ  側壁部
１８  底壁
１８Ａ  底壁部
２０  側壁背面片
２０Ａ  側壁背面片部
２２  底壁背面片
２２Ａ  底壁背面片部
２４  切欠き部
２６  天面カバー
２８  天壁
３０  天壁背面片
３２  収納部
３４，３６，７２  開口部
３４ａ，３４ｂ，３６ａ，３６ｂ，７２ａ  貫通部
３５，３７  開口端
３８，４０，７４  スリット開口
４２  非開口部
４４  ピン留めボード
４６  ボード本体
４８  カバー部材
５０  連結固定手段
５２  連結孔
５４  締付け具
５６  掛止手段
５８  掛止部材
６０  留め部材
６２  吊り下げ紐
７０ａ  擬似境界線
１００  掲示物
１０２  マグネット
１０４  ピン
ＥＡ  露出部（Exposed Area）
【図１】
2010184407.tif 000003
【図２】
2010184407.tif 000004
【図３】
2010184407.tif 000005
【図４】
2010184407.tif 000006
【図５】
2010184407.tif 000007
【図６】
2010184407.tif 000008
【図７】
2010184407.tif 000009
【図８】
2010184407.tif 000010